(57)【要約】【課題】  コップの上縁の飲み口部分における衛生上の問題を解消することができるようにする。【解決手段】上部が開口したコップホルダ１と、コップホルダ１内に収容される使い捨てのコップ２とを有するものであって、コップ２外周における上縁２ａの下側には該上縁２ａから所定間隔をあけて前記コップホルダ１の上縁１ａに係止される係止用突起３が周設され、該係止用突起３の下側には指先サイズの把持用摘み５が一つ形成され、前記コップホルダ１には、その上縁１ａから垂直方向に前記把持用摘み５が挿通される摘み挿通用スリット６が形成されている。【選択図】  図１
2022002676.tif 000002
【特許請求の範囲】
【請求項１】
上部が開口した有底状の内容器と、内容器が収容される外容器とを備え、前記内容器の外周面には一または複数の指先サイズの把持用摘みが突設されている、多機能衛生容器。
【請求項２】
把持用摘みが、縦方向または横方向に伸びる板状となされている、請求項１記載の多機能衛生容器。
【請求項３】
把持用摘みが、折り畳み自在となされている、請求項２記載の多機能衛生容器。
【請求項４】
外容器に、内容器の把持用摘みが進入するスリットまたは切欠が形成されている、請求項１〜請求項３のうちのいずれか一項記載の多機能衛生容器。
【請求項５】
内容器または外容器に蓋が装着されている、請求項１〜請求項４のうちのいずれか一項記載の多機能衛生容器。
【請求項６】
内容器外周における上縁下側には該上縁から所定間隔をあけて前記外容器の上縁に係止される係止用突起が設けられ、該係止用突起の下側に前記把持用摘みが突設され、外容器は筒状となされている、請求項４または請求項５記載の多機能衛生容器。
【請求項７】
把持用摘みがコップの高さ中央部分に形成されている、請求項１〜請求項６のうちのいずれか一項の多機能衛生容器。
【請求項８】
内容器はその上部から下部に向かって外形が縮小した形状となされて、該内容器の外周と前記外容器の内周との間に側部断熱用空所が形成されている、請求項１〜請求項７のうちのいずれか一項記載の多機能衛生容器。
【請求項９】
内容器の外底面と外容器の内底面との間に底部断熱用空所が形成されている、請求項１〜請求項８のうちのいずれか一項記載の多機能衛生容器。
【請求項１０】
外容器に接触面積減少用の多数の開口部が形成されている、請求項１〜請求項９のうちのいずれか一項記載の多機能衛生容器。
【請求項１１】
把持用摘みがリング状またはＣ形状の帯状体の外面に突設され、該帯状体を内容器の側周面に嵌め被せることで内容器に把持用摘みが別体構成で設けられている、請求項１〜請求項１０のうちのいずれか一項記載の多機能衛生容器。
【発明の詳細な説明】
【技術分野】
【０００１】
本発明は、飲食店等において、酒類やジュース、水等の種々の飲料を衛生的に提供するための飲料容器、並びに灰皿やゴミその他の廃棄物を衛生的に廃棄するための廃棄物容器等としても使用することができる多機能衛生容器に関する。
【背景技術】
【０００２】
近年、新型コロナウィルスやＳＡＲＳ等の感染拡大に伴って、特に飲食業の分野では、感染リスクを極力抑えながら、飲料等を提供することが求められている。
【０００３】
従来から、コップホルダを使用して、使い捨てのコップで飲料を提供することが行われ、そして、前記コップホルダとしては、開口部の外径が底部の外径よりも大きい軟質のコップホルダであって、 コップの底部を挿入可能な円筒状の支持部を備え、更に、該支持部の端面等に一端部が連結され、該一端部から前記支持部の軸線に沿って前記支持部の外方へ延びる連結部と、該連結部の他端部に連なる基部、および該基部に連なる弾性変形可能な帯板状の腕部等を備えたものが知られている。
【０００４】
より詳細には、前記コップホルダは、前記支持部の軸線を囲むように前記基部から湾曲または屈曲して延びる２つの腕部を有し、更に前記支持部にコップの底部が挿入された状態で、前記２つの腕部がコップの外周面を弾発的に押圧する把持部を備え、そして、該把持部の基部および前記連結部の少なくとも一方には、取手部等が形成されたものであった。
【先行技術文献】
【特許文献】
【０００５】
【特許文献１】特開２０１４−２１７４３９号公報
【発明の概要】
【発明が解決しようとする課題】
【０００６】
前述したような構成の従来のコップホルダでは、飲食業において、使い捨てのコップをホルダ内に挿入したり、使用済の使い捨てコップをホルダから取り出すのに、飲料の提供を受ける客が口をつける前記使い捨てコップの上縁飲み口部分を飲料の提供者が手で触ることとなるため、衛生上の問題があった。
【０００７】
また、従来から取手付きのコップが知られているが、該コップにおいても、飲料の提供を受ける客が口をつけたコップ上縁部分を飲料の提供者が手で触ることとなるため、衛生上の問題があり、また前記取手部分についても飲料の提供者と客の両方が把持することとなるため、感染防止面でも問題があった。
【０００８】
本発明の目的は、前述したようなコップの上縁飲み口部分や取っ手部分における衛生上の問題を解消することができる多機能衛生容器を提供することにある。
【課題を解決するための手段】
【０００９】
請求項１記載の本発明は、上部が開口した有底状の内容器と、内容器が収容される外容器とを備え、前記内容器の外周面には一または複数の指先サイズの把持用摘みが突設されていることを特徴する多機能衛生容器である。
【００１０】
本発明において、前記把持用摘みは、従来のようなコップに設けられた取っ手ではなく、指先サイズの極小な指で摘まむものであることを構成上の特徴とする。
【００１１】
そして、本発明に係る多機能衛生容器は、後述する実施形態のような飲料容器として使用する場合の他、検尿用容器や飲む検査液（バリウム等）の医療用容器、更にはゴミや汚物或いはタバコの灰を入れる灰皿等としても使用され得るものである。
【００１２】
また、本発明の多機能衛生容器を構成する内容器および外容器は、用途や機能に応じて、紙、合成樹脂、アルミニウムやスチール等の金属等といった種々の材質が使用され得る。
【００１３】
請求項２記載の本発明は、前記請求項１記載の多機能衛生容器について、把持用摘みが、縦方向または横方向に伸びる板状となされていることを特徴とする。
【００１４】
請求項３記載の本発明は、前記請求項２記載の多機能衛生容器について、把持用摘みが折り畳み自在となされていることを特徴とする。
【００１５】
請求項４記載の本発明は、前記請求項１〜請求項３のうちのいずれか一項記載の多機能衛生容器について、外容器に、内容器の把持用摘みが進入するスリットまたは切欠が形成されていることを特徴とする。
【００１６】
請求項５記載の本発明は、前記請求項１〜請求項４のうちのいずれか一項記載の多機能衛生容器について、内容器または外容器に蓋が装着されているものである。
【００１７】
すなわち、内容器の上部飲み口部分が外容器から出ている場合には、内容器に施蓋され、内容器の上部飲み口部分が外容器から出ていない場合には、外容器の上縁部分に施蓋される。
【００１８】
請求項６記載の本発明は、請求項４または請求項５記載の多機能衛生容器について、内容器外周における上縁下側には該上縁から所定間隔をあけて前記外容器の上縁に係止される係止用突起が設けられ、該係止用突起の下側に前記把持用摘みが突設され、外容器は筒状となされていることを特徴とする。
【００１９】
請求項７記載の本発明は、前記請求項１〜請求項６のうちのいずれか一項の多機能衛生容器について、把持用摘みがコップの高さ中央部分に形成されていることを特徴とする。
【００２０】
請求項８記載の本発明は、前記請求項１〜請求項７のうちのいずれか一項記載の多機能衛生容器について、内容器がその上部から下部に向かって外形が縮小した形状となされて、該内容器の外周と前記外容器の内周との間に側部断熱用空所が形成されていることを特徴とする。
【００２１】
請求項９記載の本発明は、前記請求項１〜請求項８のうちのいずれか一項記載の多機能衛生容器について、内容器の外底面と外容器の内底面との間に底部断熱用空所が形成されていることを特徴とする。
【００２２】
請求項１０記載の本発明は、前記請求項１〜請求項９のうちのいずれか一項記載の多機能衛生容器について、外容器に接触面積減少用の多数の開口部が形成されていることを特徴とする。
【００２３】
請求項１１記載の本発明は、前記請求項１〜請求項１０のうちのいずれか一項記載の多機能衛生容器について、把持用摘みがリング状またはＣ形状の帯状体の外面に突設され、該帯状体を内容器の側周面に嵌め被せることで内容器に把持用摘みが別体構成で設けられていることを特徴とする。
【００２４】
なお、以上述べた構成の本発明に係る多機能容器は、主として、飲料容器として使用され得るものであるが、本発明はこれに限定されず、前述した通り、例えば医療の分野において、検尿用容器、胃部Ｘ線検査における造影剤用容器やごみおよび汚物等を入れるゴミ容器た灰皿としても使用することができる。
【００２５】
また、本発明の多機能衛生容器は、前述した通り、外容器および内容器について、構成材料は特に限定されず、金属、合成樹脂および紙等、種々のものが使用され得る。ただし、紙やアルミニウム、或いはバイオマス等の環境面や再生利用面で有効なものが好適である。
【発明の効果】
【００２６】
本発明の多機能衛生容器は、上部が開口した有底状の内容器と、内容器が収容される外容器とを備え、前記内容器の外周面には一または複数の指先サイズの把持用摘みが突設されている構成であるため、例えば前記内容器をコップとして使用する場合には、飲料提供者は、従来のように、コップ上縁の飲み口部分を手で持つことなく、コップにおける前記指先サイズの極小な把持用摘みを指で摘まんで、該コップ（内容器）を外容器（ホルダ）内に落し込むことで、外容器（ホルダ）内にコップ（内容器）がセットされ、この状態でコップ（内容器）内に飲料を入れて提供することができ、飲料の提供を受ける人は、外容器（ホルダ）を手で持って飲料を飲むようにすることで、飲料の提供にあたって、飲料提供者と飲料被提供者が同じ接触場所を共有することが回避される。そのため、新型コロナウィルス等の接触感染防止が確実に実現される。
【００２７】
また、前記飲料の提供後においても、飲料の提供者は、使い捨てとした前記コップ（内容器）の摘みだけを手で摘まんでそのまま廃棄すれば良いため、飲料提供者が使用済みのコップ（内容器）を手洗いすることもないため、更なる接触感染防止が図られ得る。
【００２８】
特に、外容器（ホルダ）に前記把持用摘みが進入するスリットや切欠が形成されている構成のものは、前記摘み挿通用のスリット等に前記内容器の把持用摘みを入れるだけで、内容器が外容器内に落とし込まれると共に、該内容器外周の係止用突起が外容器の上縁に係止されて、内容器が外容器内に衛生的且つ安定的に保持され得るという格別の実用的利点を有する。
【００２９】
更に、使い捨ての内容器（コップ）の使用後においては、飲料提供者等は、従来のように、内容器（コップ）上縁の飲み口部分を手で持つことなく、内容器（コップ）外周の前記把持用摘みを指で摘まんで、該内容器を外容器（ホルダ）から持ち上げるだけで使用済の内容器を衛生的に外容器から外してそのまま廃棄できるという利点を有する。このような利点は、当該多機能衛生容器を、ゴミや汚物を入れるゴミ箱、或いはタバコの灰を入れる灰皿として使用する場合も同様に得られ、使用者の手が汚れることがなく、また蓋付のものについては、特に大きな利点となり、廃棄の際に、粉塵等が飛散することが防止され得る。
【００３０】
また、本発明の多機能衛生容器について、把持用摘みが内容器（コップ）の高さ中央部分に形成されているものは、特に重心面で、内容器（コップ）内に飲料等の液体が入った状態での持ち運びをより安定的に行うことができる。
【００３１】
この他、本発明の多機能衛生容器について、内容器が、その上部から下部に向かって外形が縮小した形状となされて、該内容器の外周と前記外容器内周との間に側部断熱用空所が形成されているものは、内容器に飲料用の氷を入れた場合における外容器の結露が抑制され得る。また、このような実用的利点は、内容器外底面と外容器の内底面との間に底部断熱用空所が形成されている本発明の多機能衛生容器についても同様である。また、把持用摘みが折り畳み自在となされている本発明の衛生飲料容器によれば、把持用摘みを折り畳んで多数の内容器を積み重ねることができるという利点がある。
【００３２】
更に本発明の多機能衛生容器について、外容器（ホルダ）に接触面積減少用の多数の開口部が形成されているものは、該ホルダを持った人の手との接触面積が減少するため、１つの外容器を複数の人が持った場合でも更なる衛生度の向上が図られる。また、前記多数の開口部によって、外容器に模様が施された本発明の多機能衛生容器によれば、外容器（ホルダ）の美観が向上する。
【００３３】
また、本発明の多機能衛生容器について、外容器および／または内容器に使用者名が表示されたものは、内容器や外容器の専用性が確保され、また使用者の愛着が得られると共に、使用者の特定も明確であるため、衛生管理面でも有利である。
【００３４】
この他、本発明に係る多機能衛生容器は、全体サイズを大きくして、内容器をゴミ入れや汚物入れ、更には灰皿として衛生的に使用することもできるという実用的利点を有する。
【図面の簡単な説明】
【００３５】
【図１】本発明の実施形態であって、内容器とコップホルダとの分離状態を示す斜視図である。
【図２】同実施形態であって、コップをコップホルダ内に入れた状態を示す斜視図である。
【図３】図２の状態における垂直断面図である。
【図４】図２の状態における水平断面図である。
【図５】本発明の他の実施形態を示す斜視図である。
【図６】本発明の多機能衛生容器におけるコップの他の実施形態を示す斜視図であって、（ａ）が左右の摘みを広げた状態、（ｂ）が左側の摘みを折り畳んだ状態である。
【図７】本発明の更に他の実施形態を示す垂直断面図である。
【図８】本発明の別の実施形態を示す斜視図である。
【図９】本発明の更に他の実施形態を示す斜視図である。
【図１０】本発明の別の実施形態を示す斜視図である。
【図１１】本発明の実施形態に係る多機能衛生容器における内容器の積み重ね状態を示す垂直断面図である。
【図１２】本発明に係る多機能衛生容器の更に他の実施形態を示す斜視図である。
【図１３】図１２の多機能衛生容器の垂直断面図である。
【発明を実施するための形態】
【００３６】
次に、本発明の多機能衛生容器を飲料容器とした場合の実施形態について説明するが、本発明はかかる実施形態に限定されるものではない。
（実施形態１）
【００３７】
図１〜図４に示すように、前記の通り、本発明の多機能衛生容器は、飲料容器として使用するものであり、上部が開口した金属または合成樹脂製のコップホルダ（外容器）１と、該ホルダ１内に収容される使い捨ての紙または合成樹脂製のコップ（内容器）２とを有するものであって、コップ２外周における上縁２ａの下側には該上縁２ａから所定間隔をあけて前記コップホルダ１の上縁１ａに係止される係止用突起３が周設され、該係止用突起３の下側には指先サイズの把持用摘み５が一つ形成され、前記コップホルダ１には、その上縁１ａから垂直方向に前記把持用摘み５が挿通される摘み挿通用スリット６が形成されている。
【００３８】
コップ２における前記係止用突起３は、本実施形態では、コップ２の上縁２ａから上縁寄り部分を下側部分よりも厚肉にすることで段差状に形成されたものである。
【００３９】
また、本実施形態では、前記把持用摘み５は、コップ２の高さ中央部分に形成されている。また、コップ２は、その上部２ｂから下部２ｃに向かって外形が縮小した形状となされて、該コップ２の外周と前記コップホルダ１内周との間に側部断熱用空所８Ａが形成されており、更に本実施形態では、コップ１外底面２ｄとコップホルダ１の底部１ｂとの間に底部断熱用空所８Ｂが形成されている。
【００４０】
この他、本実施形態では、前記コップホルダ１に接触面積減少用の多数の方形開口部７が形成され、且つ該方形開口部７は、整列状に形成されることで全体として網目様の模様が描成されている。
【００４１】
更に、コップホルダ１の上部やコップ２にはコップホルダ１やコップ２の専用使用者を示す使用者名が表示される場合もある。
【００４２】
次に、本実施形態に係る多機能衛生容器の使用方法について説明すると、飲料の提供者が、コップ２の把持用摘み５を指で摘まんで、該摘み５部分をコップホルダ１の摘み挿通用スリット６に差し込むようにして、コップ２をコップホルダ１内にセットする。この際、コップ２の上縁２ａの飲み口部分に前記飲料提供者の指が触れることがないため、衛生的である。
【００４３】
そして、例えば、前記コップ２内に飲料と共に氷を入れた場合でも、該コップ２とコップホルダ１との間に、側部断熱用空所８Ａおよび底部断熱用空所８Ｂが形成されているため、コップホルダ１は結露せず、飲料を飲む人の手が結露で濡れることがない。
【００４４】
当該多機能衛生容器の使用後においては、前記コップホルダ１内に入っているコップ２の把持用摘み５を飲料提供者が指で摘まんで、そのまま取り出して廃棄することができ、飲料提供者は、飲料を飲んだ人の口が触れたコップ２の上縁２ａの飲み口部分に指で触れることがないため、衛生的でウィルスの感染予防面でも好適である。そして、この際、把持用摘み５は従来の大きいサイズの取手とは異なり、指先サイズの極小なものであるため、飲料提供者にとって、感染防止効果が非常に高い。
【００４５】
図５に示すように、コップホルダ２１に設けられた多数の方形開口部７は、図１および図２に示したコップホルダ１よりも更に上側部分に多く形成する場合もある。また逆に、開口部７のようなものを全く設けない場合もある。
【００４６】
また、この他、図６（ａ）（ｂ）に示すように、前記把持用摘み５は、コップ２の側周面の左右に二箇所設ける場合もあり、この場合、前記コップホルダ１においても前記把持用摘み５に対応して摘み挿通用スリット６を左右二箇所に形成することとなる。
【００４７】
更に、図６（ｂ）に示すように、コップ２の側周面に形成する把持用摘み５は横方向に折り畳み自在として複数のコップ２を積み重ね得るようにする場合もある。
【００４８】
以上述べた実施形態１の多機能衛生容器は、外容器をコップホルダ１とし、内容器をコップ２とする飲料容器として説明してきたが、全体サイズを大きくしてコップ２をゴミ等の廃棄物を入れるゴミ容器としたり、タバコの灰を入れる灰皿として使用し、コップホルダ１を前記ゴミ容器を入れる外容器とすることもできる。
【００４９】
なお、本実施形態１並びに後述する各実施形態において、コップ２等の内容器は、紙、合成樹脂、或いはアルミニウム等の金属製とすることができ、使い捨てとするのが通常であるが、それでない場合もある。
（実施形態２）
【００５０】
図７に示すように、本実施形態に係る多機能衛生容器は、前記実施形態１におけるコップホルダ１の底部１ｂを無くして、コップホルダ１全体を円筒状とし、またコップ２の上縁２ａに蓋１０を装着したものである。
【００５１】
その他の構成は、前記実施形態１と同様であるため、実施形態１のものと同様の符号を付すことによって説明を省略する。
【００５２】
本実施形態２の多機能衛生容器は、飲料容器として使用する場合には、施蓋された内容器であるコップ２内の飲み物の保温性が確保され、また前述した通り、ゴミ容器として使用する場合には、施蓋された内容器に入れられたゴミや汚物、タバコの灰等が飛散することなく、また汚物等を見ることなく、施蓋されたまま内容器ごと捨てることができるという実用的利点を有する。
（実施形態３）
【００５３】
図８に示すように、本実施形態３に係る多機能衛生容器は、外容器であるコップホルダ３１と、内容器であるコップ３２で構成されるものであって、本実施形態３では、把持用摘み３５が、前記実施形態１および実施形態２のように縦方向に形成されたものではなく、横方向に形成され、またこれに対応して前記スリット６よりも横幅の広い上部が開口した切欠３６がコップホルダ３１に形成されている。
（実施形態４）
【００５４】
図９に示すように、本実施形態４に係る多機能衛生容器は、外容器であるコップホルダ４１と、内容器であるコップ４２で構成されるものであって、本実施形態４では、把持用摘み４５が、前記実施形態１および実施形態２のように縦方向に形成されたものではなく、横方向に形成され、また本実施形態４では、前記横方向の把持用摘み４５は、コップ４２側周面における前記コップホルダ４１の上縁４１ａよりも上方に突設されているため、コップホルダ４１には前記実施形態１および実施形態２のような摘み挿通用スリット６や前記実施形態３のような広幅の摘み挿通用切欠３６は全く形成されていない。
【００５５】
その他の構成は、前記実施形態と同様であるため、実施形態１のものと同様の符号を付すことによって説明を省略する。
（実施形態５）
【００５６】
図１０示すように、本実施形態５に係る多機能衛生容器は、前記実施形態１と同様のコップホルダ１と、本実施形態５に係るコップ５２を有するものであって、コップ５２は、その側周面にリング状またはＣ形の帯状体５０が嵌め被せられ、該帯状体５０に前記実施形態１と同様の縦方向の把持用摘み５５が形成されたものである。
【００５７】
その他の構成は、前記実施形態と同様であるため、実施形態１のものと同様の符号を付すことによって説明を省略する。
（実施形態６）
【００５８】
図１１に示すように、本実施形態６では、コップ６２の側周面６２ａに左右一対の横方向に伸びる前記実施形態３や実施形態４のような把持用摘み６５を設け、且つ該把持用摘み６５が上方に折り畳み自在なものとして、コップ６２を積み重ね得るようにしたものである。
（実施形態７）
【００５９】
図１２、図１３に示すように、前記実施形態１の多機能衛生容器について、蓋２２ａを有し、開口部７を省略する場合もある。
【産業上の利用可能性】
【００６０】
本発明に係る多機能衛生容器によれば、飲料等を提供する際に、提供者は、コップ上縁の飲み口部分に触れることなく、該コップをホルダにセットして飲料等を提供することができ、そして、飲料の提供の受ける者だけがコップの上縁の飲み口部分に触れることとなるため、飲料等を提供する者と提供を受ける者との間での衛生管理が行え、飲食業や医療検査業界等において幅広い利用が期待できる。
【００６１】
また、本発明に係る多機能衛生容器は、前述した通り、全体サイズを大きくして、内容器をゴミ入れや汚物入れ、更には灰皿として衛生的に使用することもできるという実用的利点を有する。
【符号の説明】
【００６２】
１  コップホルダ
２  コップ
２ａ  コップ上縁
３  係止用突起
５  把持用摘み
６  摘み挿通用スリット
７  開口部  
【図１】
2022002676.tif 000003
【図２】
2022002676.tif 000004
【図３】
2022002676.tif 000005
【図４】
2022002676.tif 000006
【図５】
2022002676.tif 000007
【図６】
2022002676.tif 000008
【図７】
2022002676.tif 000009
【図８】
2022002676.tif 000010
【図９】
2022002676.tif 000011
【図１０】
2022002676.tif 000012
【図１１】
2022002676.tif 000013
【図１２】
2022002676.tif 000014
【図１３】
2022002676.tif 000015
【手続補正書】
【提出日】令和2年9月23日(2020.9.23)
【手続補正１】
【補正対象書類名】図面
【補正対象項目名】全図
【補正方法】変更
【補正の内容】
【図１】
2022002676.tif 000016
【図２】
2022002676.tif 000017
【図３】
2022002676.tif 000018
【図４】
2022002676.tif 000019
【図５】
2022002676.tif 000020
【図６】
2022002676.tif 000021
【図７】
2022002676.tif 000022
【図８】
2022002676.tif 000023
【図９】
2022002676.tif 000024
【図１０】
2022002676.tif 000025
【図１１】
2022002676.tif 000026
【図１２】
2022002676.tif 000027
【図１３】
2022002676.tif 000028
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
上部が開口した有底状の内容器と、内容器が収容される上部が開口した外容器とを備え、前記内容器の外周面には一または複数の指先サイズの把持用摘みが突設され、前記外容器には、その上縁から下方に伸びるスリットまたは切欠が形成され、該スリットまたは切欠に前記内容器の把持用摘みが進入するようになされている、多機能衛生容器。
【請求項２】
把持用摘みが、縦方向または横方向に伸びる板状となされている、請求項１記載の多機能衛生容器。
【請求項３】
把持用摘みが、折り畳み自在となされている、請求項２記載の多機能衛生容器。
【請求項４】
内容器または外容器に蓋が装着されている、請求項１〜請求項３のうちのいずれか一項記載の多機能衛生容器。
【請求項５】
内容器外周における上縁下側には該上縁から所定間隔をあけて前記外容器の上縁に係止される係止用突起が設けられ、該係止用突起の下側に前記把持用摘みが突設され、外容器は筒状となされている、請求項１〜請求項４のうちのいずれか一項記載の多機能衛生容器。
【請求項６】
把持用摘みがコップの高さ中央部分に形成されている、請求項１〜請求項５のうちのいずれか一項の多機能衛生容器。
【請求項７】
内容器はその上部から下部に向かって外形が縮小した形状となされて、該内容器の外周と前記外容器の内周との間に側部断熱用空所が形成されている、請求項１〜請求項６のうちのいずれか一項記載の多機能衛生容器。
【請求項８】
内容器の外底面と外容器の内底面との間に底部断熱用空所が形成されている、請求項１〜請求項７のうちのいずれか一項記載の多機能衛生容器。
【請求項９】
外容器に接触面積減少用の多数の開口部が形成されている、請求項１〜請求項８のうちのいずれか一項記載の多機能衛生容器。
【請求項１０】
把持用摘みがリング状またはＣ形状の帯状体の外面に突設され、該帯状体を内容器の側周面に嵌め被せることで内容器に把持用摘みが別体構成で設けられている、請求項１〜請求項９のうちのいずれか一項記載の多機能衛生容器。
【手続補正２】
【補正対象書類名】明細書
【補正対象項目名】全文
【補正方法】変更
【補正の内容】
【発明の詳細な説明】
【技術分野】
【０００１】
本発明は、飲食店等において、酒類やジュース、水等の種々の飲料を衛生的に提供するための飲料容器、並びに灰皿やゴミその他の廃棄物を衛生的に廃棄するための廃棄物容器等としても使用することができる多機能衛生容器に関する。
【背景技術】
【０００２】
近年、新型コロナウィルスやＳＡＲＳ等の感染拡大に伴って、特に飲食業の分野では、感染リスクを極力抑えながら、飲料等を提供することが求められている。
【０００３】
従来から、コップホルダを使用して、使い捨てのコップで飲料を提供することが行われ、そして、前記コップホルダとしては、開口部の外径が底部の外径よりも大きい軟質のコップホルダであって、 コップの底部を挿入可能な円筒状の支持部を備え、更に、該支持部の端面等に一端部が連結され、該一端部から前記支持部の軸線に沿って前記支持部の外方へ延びる連結部と、該連結部の他端部に連なる基部、および該基部に連なる弾性変形可能な帯板状の腕部等を備えたものが知られている。
【０００４】
より詳細には、前記コップホルダは、前記支持部の軸線を囲むように前記基部から湾曲または屈曲して延びる２つの腕部を有し、更に前記支持部にコップの底部が挿入された状態で、前記２つの腕部がコップの外周面を弾発的に押圧する把持部を備え、そして、該把持部の基部および前記連結部の少なくとも一方には、取手部等が形成されたものであった。
【先行技術文献】
【特許文献】
【０００５】
【特許文献１】特開２０１４−２１７４３９号公報
【発明の概要】
【発明が解決しようとする課題】
【０００６】
前述したような構成の従来のコップホルダでは、飲食業において、使い捨てのコップをホルダ内に挿入したり、使用済の使い捨てコップをホルダから取り出すのに、飲料の提供を受ける客が口をつける前記使い捨てコップの上縁飲み口部分を飲料の提供者が手で触ることとなるため、衛生上の問題があった。
【０００７】
また、従来から取手付きのコップが知られているが、該コップにおいても、飲料の提供を受ける客が口をつけたコップ上縁部分を飲料の提供者が手で触ることとなるため、衛生上の問題があり、また前記取手部分についても飲料の提供者と客の両方が把持することとなるため、感染防止面でも問題があった。
【０００８】
本発明の目的は、前述したようなコップの上縁飲み口部分や取っ手部分における衛生上の問題を解消することができる多機能衛生容器を提供することにある。
【課題を解決するための手段】
【０００９】
請求項１記載の本発明は、上部が開口した有底状の内容器と、内容器が収容される上部が開口した外容器とを備え、前記内容器の外周面には一または複数の指先サイズの把持用摘みが突設され、  前記外容器には、その上縁から下方に伸びるスリットまたは切欠が形成され、該スリットまたは切欠に前記内容器の把持用摘みが進入するようになされていることを特徴とする多機能衛生容器である。
【００１０】
本発明において、前記把持用摘みは、従来のようなコップに設けられた取っ手ではなく、指先サイズの極小な指で摘まむものであることを構成上の特徴とする。
【００１１】
そして、本発明に係る多機能衛生容器は、後述する実施形態のような飲料容器として使用する場合の他、検尿用容器や飲む検査液（バリウム等）の医療用容器、更にはゴミや汚物或いはタバコの灰を入れる灰皿等としても使用され得るものである。
【００１２】
また、本発明の多機能衛生容器を構成する内容器および外容器は、用途や機能に応じて、紙、合成樹脂、アルミニウムやスチール等の金属等といった種々の材質が使用され得る。
【００１３】
請求項２記載の本発明は、前記請求項１記載の多機能衛生容器について、把持用摘みが、縦方向または横方向に伸びる板状となされていることを特徴とする。
【００１４】
請求項３記載の本発明は、前記請求項２記載の多機能衛生容器について、把持用摘みが折り畳み自在となされていることを特徴とする。
【００１５】
請求項４記載の本発明は、前記請求項１〜請求項３のうちのいずれか一項記載の多機能衛生容器について、内容器または外容器に蓋が装着されているものである。
【００１６】
すなわち、内容器の上部飲み口部分が外容器から出ている場合には、内容器に施蓋され、内容器の上部飲み口部分が外容器から出ていない場合には、外容器の上縁部分に施蓋される。
【００１７】
請求項５記載の本発明は、前記請求項１〜請求項４のうちのいずれか一項記載の多機能衛生容器について、内容器外周における上縁下側には該上縁から所定間隔をあけて前記外容器の上縁に係止される係止用突起が設けられ、該係止用突起の下側に前記把持用摘みが突設され、外容器は筒状となされていることを特徴とする。
【００１８】
請求項６記載の本発明は、前記請求項１〜請求項５のうちのいずれか一項の多機能衛生容器について、把持用摘みがコップの高さ中央部分に形成されていることを特徴とする。
【００１９】
請求項７記載の本発明は、前記請求項１〜請求項６のうちのいずれか一項記載の多機能衛生容器について、内容器がその上部から下部に向かって外形が縮小した形状となされて、該内容器の外周と前記外容器の内周との間に側部断熱用空所が形成されていることを特徴とする。
【００２０】
請求項８記載の本発明は、前記請求項１〜請求項７のうちのいずれか一項記載の多機能衛生容器について、内容器の外底面と外容器の内底面との間に底部断熱用空所が形成されていることを特徴とする。
【００２１】
請求項９記載の本発明は、前記請求項１〜請求項８のうちのいずれか一項記載の多機能衛生容器について、外容器に接触面積減少用の多数の開口部が形成されていることを特徴とする。
【００２２】
請求項１０記載の本発明は、前記請求項１〜請求項９のうちのいずれか一項記載の多機能衛生容器について、把持用摘みがリング状またはＣ形状の帯状体の外面に突設され、該帯状体を内容器の側周面に嵌め被せることで内容器に把持用摘みが別体構成で設けられていることを特徴とする。
【００２３】
なお、以上述べた構成の本発明に係る多機能容器は、主として、飲料容器として使用され得るものであるが、本発明はこれに限定されず、前述した通り、例えば医療の分野において、検尿用容器、胃部Ｘ線検査における造影剤用容器やごみおよび汚物等を入れるゴミ容器た灰皿としても使用することができる。
【００２４】
また、本発明の多機能衛生容器は、前述した通り、外容器および内容器について、構成材料は特に限定されず、金属、合成樹脂および紙等、種々のものが使用され得る。ただし、紙やアルミニウム、或いはバイオマス等の環境面や再生利用面で有効なものが好適である。
【発明の効果】
【００２５】
本発明の多機能衛生容器は、上部が開口した有底状の内容器と、内容器が収容される外容器とを備え、前記内容器の外周面には一または複数の指先サイズの把持用摘みが突設されている構成であるため、例えば前記内容器をコップとして使用する場合には、飲料提供者は、従来のように、コップ上縁の飲み口部分を手で持つことなく、コップにおける前記指先サイズの極小な把持用摘みを指で摘まんで、該コップ（内容器）を外容器（ホルダ）内に落し込むことで、外容器（ホルダ）内にコップ（内容器）がセットされ、この状態でコップ（内容器）内に飲料を入れて提供することができ、飲料の提供を受ける人は、外容器（ホルダ）を手で持って飲料を飲むようにすることで、飲料の提供にあたって、飲料提供者と飲料被提供者が同じ接触場所を共有することが回避される。そのため、新型コロナウィルス等の接触感染防止が確実に実現される。
【００２６】
また、前記飲料の提供後においても、飲料の提供者は、使い捨てとした前記コップ（内容器）の摘みだけを手で摘まんでそのまま廃棄すれば良いため、飲料提供者が使用済みのコップ（内容器）を手洗いすることもないため、更なる接触感染防止が図られ得る。
【００２７】
特に、外容器（ホルダ）に前記把持用摘みが進入するスリットや切欠が形成されている構成のものは、前記摘み挿通用のスリット等に前記内容器の把持用摘みを入れるだけで、内容器が外容器内に落とし込まれると共に、該内容器外周の係止用突起が外容器の上縁に係止されて、内容器が外容器内に衛生的且つ安定的に保持され得るという格別の実用的利点を有する。
【００２８】
更に、使い捨ての内容器（コップ）の使用後においては、飲料提供者等は、従来のように、内容器（コップ）上縁の飲み口部分を手で持つことなく、内容器（コップ）外周の前記把持用摘みを指で摘まんで、該内容器を外容器（ホルダ）から持ち上げるだけで使用済の内容器を衛生的に外容器から外してそのまま廃棄できるという利点を有する。このような利点は、当該多機能衛生容器を、ゴミや汚物を入れるゴミ箱、或いはタバコの灰を入れる灰皿として使用する場合も同様に得られ、使用者の手が汚れることがなく、また蓋付のものについては、特に大きな利点となり、廃棄の際に、粉塵等が飛散することが防止され得る。
【００２９】
また、本発明の多機能衛生容器について、把持用摘みが内容器（コップ）の高さ中央部分に形成されているものは、特に重心面で、内容器（コップ）内に飲料等の液体が入った状態での持ち運びをより安定的に行うことができる。
【００３０】
この他、本発明の多機能衛生容器について、内容器が、その上部から下部に向かって外形が縮小した形状となされて、該内容器の外周と前記外容器内周との間に側部断熱用空所が形成されているものは、内容器に飲料用の氷を入れた場合における外容器の結露が抑制され得る。また、このような実用的利点は、内容器外底面と外容器の内底面との間に底部断熱用空所が形成されている本発明の多機能衛生容器についても同様である。また、把持用摘みが折り畳み自在となされている本発明の衛生飲料容器によれば、把持用摘みを折り畳んで多数の内容器を積み重ねることができるという利点がある。
【００３１】
更に本発明の多機能衛生容器について、外容器（ホルダ）に接触面積減少用の多数の開口部が形成されているものは、該ホルダを持った人の手との接触面積が減少するため、１つの外容器を複数の人が持った場合でも更なる衛生度の向上が図られる。また、前記多数の開口部によって、外容器に模様が施された本発明の多機能衛生容器によれば、外容器（ホルダ）の美観が向上する。
【００３２】
また、本発明の多機能衛生容器について、外容器および／または内容器に使用者名が表示されたものは、内容器や外容器の専用性が確保され、また使用者の愛着が得られると共に、使用者の特定も明確であるため、衛生管理面でも有利である。
【００３３】
この他、本発明に係る多機能衛生容器は、全体サイズを大きくして、内容器をゴミ入れや汚物入れ、更には灰皿として衛生的に使用することもできるという実用的利点を有する。
【図面の簡単な説明】
【００３４】
【図１】本発明の実施形態であって、内容器とコップホルダとの分離状態を示す斜視図である。
【図２】同実施形態であって、コップをコップホルダ内に入れた状態を示す斜視図である。
【図３】図２の状態における垂直断面図である。
【図４】図２の状態における水平断面図である。
【図５】本発明の他の実施形態を示す斜視図である。
【図６】本発明の多機能衛生容器におけるコップの他の実施形態を示す斜視図であって、（ａ）が左右の摘みを広げた状態、（ｂ）が左側の摘みを折り畳んだ状態である。
【図７】本発明の更に他の実施形態を示す垂直断面図である。
【図８】本発明の別の実施形態を示す斜視図である。
【図９】本発明の更に他の実施形態を示す斜視図である。
【図１０】本発明の別の実施形態を示す斜視図である。
【図１１】本発明の実施形態に係る多機能衛生容器における内容器の積み重ね状態を示す垂直断面図である。
【図１２】本発明に係る多機能衛生容器の更に他の実施形態を示す斜視図である。
【図１３】図１２の多機能衛生容器の垂直断面図である。
【発明を実施するための形態】
【００３５】
次に、本発明の多機能衛生容器を飲料容器とした場合の実施形態について説明するが、本発明はかかる実施形態に限定されるものではない。
（実施形態１）
【００３６】
図１〜図４に示すように、前記の通り、本発明の多機能衛生容器は、飲料容器として使用するものであり、上部が開口した金属または合成樹脂製のコップホルダ（外容器）１と、該ホルダ１内に収容される使い捨ての紙または合成樹脂製のコップ（内容器）２とを有するものであって、コップ２外周における上縁２ａの下側には該上縁２ａから所定間隔をあけて前記コップホルダ１の上縁１ａに係止される係止用突起３が周設され、該係止用突起３の下側には指先サイズの把持用摘み５が一つ形成され、前記コップホルダ１には、その上縁１ａから垂直方向に前記把持用摘み５が挿通される摘み挿通用スリット６が形成されている。
【００３７】
コップ２における前記係止用突起３は、本実施形態では、コップ２の上縁２ａから上縁寄り部分を下側部分よりも厚肉にすることで段差状に形成されたものである。
【００３８】
また、本実施形態では、前記把持用摘み５は、コップ２の高さ中央部分に形成されている。また、コップ２は、その上部２ｂから下部２ｃに向かって外形が縮小した形状となされて、該コップ２の外周と前記コップホルダ１内周との間に側部断熱用空所８Ａが形成されており、更に本実施形態では、コップ１外底面２ｄとコップホルダ１の底部１ｂとの間に底部断熱用空所８Ｂが形成されている。
【００３９】
この他、本実施形態では、前記コップホルダ１に接触面積減少用の多数の方形開口部７が形成され、且つ該方形開口部７は、整列状に形成されることで全体として網目様の模様が描成されている。
【００４０】
更に、コップホルダ１の上部やコップ２にはコップホルダ１やコップ２の専用使用者を示す使用者名が表示される場合もある。
【００４１】
次に、本実施形態に係る多機能衛生容器の使用方法について説明すると、飲料の提供者が、コップ２の把持用摘み５を指で摘まんで、該摘み５部分をコップホルダ１の摘み挿通用スリット６に差し込むようにして、コップ２をコップホルダ１内にセットする。この際、コップ２の上縁２ａの飲み口部分に前記飲料提供者の指が触れることがないため、衛生的である。
【００４２】
そして、例えば、前記コップ２内に飲料と共に氷を入れた場合でも、該コップ２とコップホルダ１との間に、側部断熱用空所８Ａおよび底部断熱用空所８Ｂが形成されているため、コップホルダ１は結露せず、飲料を飲む人の手が結露で濡れることがない。
【００４３】
当該多機能衛生容器の使用後においては、前記コップホルダ１内に入っているコップ２の把持用摘み５を飲料提供者が指で摘まんで、そのまま取り出して廃棄することができ、飲料提供者は、飲料を飲んだ人の口が触れたコップ２の上縁２ａの飲み口部分に指で触れることがないため、衛生的でウィルスの感染予防面でも好適である。そして、この際、把持用摘み５は従来の大きいサイズの取手とは異なり、指先サイズの極小なものであるため、飲料提供者にとって、感染防止効果が非常に高い。
【００４４】
図５に示すように、コップホルダ２１に設けられた多数の方形開口部７は、図１および図２に示したコップホルダ１よりも更に上側部分に多く形成する場合もある。また逆に、開口部７のようなものを全く設けない場合もある。
【００４５】
また、この他、図６（ａ）（ｂ）に示すように、前記把持用摘み５は、コップ２の側周面の左右に二箇所設ける場合もあり、この場合、前記コップホルダ１においても前記把持用摘み５に対応して摘み挿通用スリット６を左右二箇所に形成することとなる。
【００４６】
更に、図６（ｂ）に示すように、コップ２の側周面に形成する把持用摘み５は横方向に折り畳み自在として複数のコップ２を積み重ね得るようにする場合もある。
【００４７】
以上述べた実施形態１の多機能衛生容器は、外容器をコップホルダ１とし、内容器をコップ２とする飲料容器として説明してきたが、全体サイズを大きくしてコップ２をゴミ等の廃棄物を入れるゴミ容器としたり、タバコの灰を入れる灰皿として使用し、コップホルダ１を前記ゴミ容器を入れる外容器とすることもできる。
【００４８】
なお、本実施形態１並びに後述する各実施形態において、コップ２等の内容器は、紙、合成樹脂、或いはアルミニウム等の金属製とすることができ、使い捨てとするのが通常であるが、それでない場合もある。
（実施形態２）
【００４９】
図７に示すように、本実施形態に係る多機能衛生容器は、前記実施形態１におけるコップホルダ１の底部１ｂを無くして、コップホルダ１全体を円筒状とし、またコップ２の上縁２ａに蓋１０を装着したものである。
【００５０】
その他の構成は、前記実施形態１と同様であるため、実施形態１のものと同様の符号を付すことによって説明を省略する。
【００５１】
本実施形態２の多機能衛生容器は、飲料容器として使用する場合には、施蓋された内容器であるコップ２内の飲み物の保温性が確保され、また前述した通り、ゴミ容器として使用する場合には、施蓋された内容器に入れられたゴミや汚物、タバコの灰等が飛散することなく、また汚物等を見ることなく、施蓋されたまま内容器ごと捨てることができるという実用的利点を有する。
（実施形態３）
【００５２】
図８に示すように、本実施形態３に係る多機能衛生容器は、外容器であるコップホルダ３１と、内容器であるコップ３２で構成されるものであって、本実施形態３では、把持用摘み３５が、前記実施形態１および実施形態２のように縦方向に形成されたものではなく、横方向に形成され、またこれに対応して前記スリット６よりも横幅の広い上部が開口した切欠３６がコップホルダ３１に形成されている。
（実施形態４）
【００５３】
図９に示すように、本実施形態４に係る多機能衛生容器は、外容器であるコップホルダ４１と、内容器であるコップ４２で構成されるものであって、本実施形態４では、把持用摘み４５が、前記実施形態１および実施形態２のように縦方向に形成されたものではなく、横方向に形成され、また本実施形態４では、前記横方向の把持用摘み４５は、コップ４２側周面における前記コップホルダ４１の上縁４１ａよりも上方に突設されているため、コップホルダ４１には前記実施形態１および実施形態２のような摘み挿通用スリット６や前記実施形態３のような広幅の摘み挿通用切欠３６は全く形成されていない。
【００５４】
その他の構成は、前記実施形態と同様であるため、実施形態１のものと同様の符号を付すことによって説明を省略する。
（実施形態５）
【００５５】
図１０示すように、本実施形態５に係る多機能衛生容器は、前記実施形態１と同様のコップホルダ１と、本実施形態５に係るコップ５２を有するものであって、コップ５２は、その側周面にリング状またはＣ形の帯状体５０が嵌め被せられ、該帯状体５０に前記実施形態１と同様の縦方向の把持用摘み５５が形成されたものである。
【００５６】
その他の構成は、前記実施形態と同様であるため、実施形態１のものと同様の符号を付すことによって説明を省略する。
（実施形態６）
【００５７】
図１１に示すように、本実施形態６では、コップ６２の側周面６２ａに左右一対の横方向に伸びる前記実施形態３や実施形態４のような把持用摘み６５を設け、且つ該把持用摘み６５が上方に折り畳み自在なものとして、コップ６２を積み重ね得るようにしたものである。
（実施形態７）
【００５８】
図１２、図１３に示すように、前記実施形態１の多機能衛生容器について、蓋２２ａを有し、開口部７を省略する場合もある。
【産業上の利用可能性】
【００５９】
本発明に係る多機能衛生容器によれば、飲料等を提供する際に、提供者は、コップ上縁の飲み口部分に触れることなく、該コップをホルダにセットして飲料等を提供することができ、そして、飲料の提供の受ける者だけがコップの上縁の飲み口部分に触れることとなるため、飲料等を提供する者と提供を受ける者との間での衛生管理が行え、飲食業や医療検査業界等において幅広い利用が期待できる。
【００６０】
また、本発明に係る多機能衛生容器は、前述した通り、全体サイズを大きくして、内容器をゴミ入れや汚物入れ、更には灰皿として衛生的に使用することもできるという実用的利点を有する。
【符号の説明】
【００６１】
１  コップホルダ
２  コップ
２ａ  コップ上縁
３  係止用突起
５  把持用摘み
６  摘み挿通用スリット
７  開口部  
【手続補正書】
【提出日】令和3年4月23日(2021.4.23)
【手続補正１】
【補正対象書類名】特許請求の範囲
【補正対象項目名】全文
【補正方法】変更
【補正の内容】
【特許請求の範囲】
【請求項１】
上部が開口した有底状の内容器と、内容器が収容される上部が開口した外容器とを有する飲料容器または廃棄物容器である多機能衛生容器であって、前記内容器の外周面には縦方向または横方向に伸びる板状の指先で摘まむ一または複数の把持用摘みが突設され、前記外容器には、その上縁から下方に伸びるスリットまたは切欠が形成され、該スリットまたは切欠に前記内容器の把持用摘みが進入するようになされており、内容器外周における上縁下側には前記外容器の上縁に係止される係止用突起が設けられ、該係止用突起の下側に所定間隔をあけて前記把持用摘みが突設されている、多機能衛生容器。
【請求項２】
把持用摘みが、折り畳み自在となされている、請求項１記載の多機能衛生容器。
【請求項３】
内容器または外容器に蓋が装着されている、請求項１または請求項２記載の多機能衛生容器。
【請求項４】
外容器は筒状となされている、請求項１〜請求項３のうちのいずれか一項記載の多機能衛生容器。
【請求項５】
把持用摘みがコップの高さ中央部分に形成されている、請求項１〜請求項４のうちのいずれか一項の多機能衛生容器。
【請求項６】
外容器に接触面積減少用の多数の開口部が形成されている、請求項１〜請求項５のうちのいずれか一項記載の多機能衛生容器。
【請求項７】
把持用摘みがリング状またはＣ形状の帯状体の外面に突設され、該帯状体を内容器の側周面に嵌め被せることで内容器に把持用摘みが別体構成で設けられている、請求項１〜請求項６のうちのいずれか一項記載の多機能衛生容器。